(57)【要約】      （修正有）【課題】電子機器の小型化とカードコネクタからのカード型記録媒体の取り出しを容易にする。【解決手段】電子機器は収納された状態でカード型記録媒体６を保持するプッシュプッシュ方式のカードコネクタを有する記録媒体収納部３ｂと、記録媒体収納部３ｂに隣接配置され、電池４が挿抜可能に収納される電池収納部３ａと、電池収納部３ａに収納された電池４の挿入方向と反対側の端部を係止する係止位置と前記係止を解除する解除位置との間で回動可能に、かつカードコネクタに保持されたカード型記録媒体６に接近する方向にスライド移動可能に支持されるロック部材５と、ロック部材５を前記係止位置に向けて付勢する付勢部材とを備える。ロック部材５は、カード型記録媒体６に接近する方向にスライド移動してカード型記録媒体６に当接した際に、カード型記録媒体６を挿入方向に押し込んでカードコネクタによるカード型記録媒体６の保持を解除する。【選択図】図１
2015018480.tif 000002
【特許請求の範囲】
【請求項１】
カード型記録媒体が挿抜可能に収納され、前記収納された状態で前記カード型記録媒体を保持するプッシュプッシュ方式のカードコネクタを有する記録媒体収納部と、
前記記録媒体収納部に隣接配置され、電子部材が挿抜可能に収納される電子部材収納部と、
前記電子部材収納部に収納された前記電子部材の挿入方向と反対側の端部を係止する位置と前記係止を解除する位置との間で回動可能に、かつ前記カードコネクタに保持された前記カード型記録媒体に接近する方向にスライド移動可能に支持されるロック部材と、
前記ロック部材を前記係止する位置に向けて付勢する付勢部材と、を備え、
前記ロック部材は、前記カードコネクタに保持された前記カード型記録媒体に接近する方向にスライド移動して前記カード型記録媒体に当接した際に、前記カード型記録媒体を挿入方向に押し込んで前記カードコネクタによる前記カード型記録媒体の保持を解除することを特徴とする電子機器。
【請求項２】
前記ロック部材が前記カード型記録媒体に接近する方向は、前記ロック部材の回動軸の軸方向であることを特徴とする請求項１に記載の電子機器。
【請求項３】
前記付勢部材は、前記ロック部材を前記カード型記録媒体に接近する方向と反対の方向に付勢することを特徴とする請求項１又は２に記載の電子機器。
【請求項４】
前記ロック部材が前記カード型記録媒体に接近する方向にスライド移動した際に、前記ロック部材の電子部材を係止する方向への回動を規制する規制手段を備えることを特徴とする請求項１乃至３のいずれか一項に記載の電子機器。
【請求項５】
前記電子部材は、電池であることを特徴とする請求項１乃至４のいずれか一項に記載の電子機器。
【発明の詳細な説明】
【技術分野】
【０００１】
本発明は、例えばデジタルカメラ等の電子機器に関し、特にカード型記録媒体の収納部とそれに隣接配置される電子部材の収納部とを有する電子機器に関する。
【背景技術】
【０００２】
デジタルカメラ等の電子機器では、小型化や多機能化等の要請により、カード型記録媒体、及びカード型記録媒体が挿抜可能に収納されるカードコネクタも小型のものが採用されている。このため、カードコネクタの内部機構も小さくなり、カード型記録媒体のカードコネクタからの突出量も減少する傾向にある。それにより、カード型記録媒体の取り出しの際に、周囲の構造物が障害となることがある。
【０００３】
従来、カード型記録媒体の収納部を覆う蓋を開けることで、プッシュプッシュ方式のカードコネクタに収納されたカード型記録媒体の保持を解除して突出させる技術が開示されている。また、開いた蓋をカード型記録媒体の取り出し動作の障害とならない位置へ移動させる技術が開示されている（特許文献１）。更に、カード型記録媒体の収納部と電池の収納部とを互いに隣接配置することで、それぞれの収納部の蓋を一体化して、電子機器の小型化を達成しているものもある。
【先行技術文献】
【特許文献】
【０００４】
【特許文献１】特開２００２−４２０５９号公報
【発明の概要】
【発明が解決しようとする課題】
【０００５】
しかし、上記特許文献１では、カード型記録媒体の収納部を覆う蓋の移動量に相当するスペースを機器本体に確保する必要が有るため、電子機器が大型化してしまう。
【０００６】
そこで、本発明は、電子機器の小型化を図るとともに、プッシュプッシュ方式のカードコネクタからのカード型記録媒体の取り出しを容易にする仕組みを提供することを目的とする。
【課題を解決するための手段】
【０００７】
上記目的を達成するために、本発明の電子機器は、カード型記録媒体が挿抜可能に収納され、前記収納された状態で前記カード型記録媒体を保持するプッシュプッシュ方式のカードコネクタを有する記録媒体収納部と、前記記録媒体収納部に隣接配置され、電子部材が挿抜可能に収納される電子部材収納部と、前記電子部材収納部に収納された前記電子部材の挿入方向と反対側の端部を係止する位置と前記係止を解除する位置との間で回動可能に、かつ前記カードコネクタに保持された前記カード型記録媒体に接近する方向にスライド移動可能に支持されるロック部材と、前記ロック部材を前記係止する位置に向けて付勢する付勢部材と、を備え、前記ロック部材は、前記カードコネクタに保持された前記カード型記録媒体に接近する方向にスライド移動して前記カード型記録媒体に当接した際に、前記カード型記録媒体を挿入方向に押し込んで前記カードコネクタによる前記カード型記録媒体の保持を解除することを特徴とする。
【発明の効果】
【０００８】
本発明によれば、電子機器の小型化を図ることができるとともに、プッシュプッシュ方式のカードコネクタからのカード型記録媒体の取り出しを容易にすることができる。
【図面の簡単な説明】
【０００９】
【図１】（ａ）は本発明の電子機器の実施形態の一例であるデジタルカメラの斜視図、（ｂ）は（ｂ）に示すデジタルカメラの電池蓋を開いた状態を底面側から見た斜視図である。
【図２】プッシュプッシュ方式のカードコネクタにおけるカード型記録媒体の挿抜動作を説明する概略図である。
【図３】電池収納ユニットの分解構成図である。
【図４】（ａ）は電池収納ユニットをカードコネクタ側から見た斜視図、（ｂ）は電池収納ユニットを電池収納部側から見たロック部材とカード型記録媒体との関係を示す斜視図である。
【図５】（ａ）は電池収納部に収納された電池がロック部材で係止されている状態を示す要部断面図、（ｂ）はロック部材による電池の係止が解除された状態を示す要部断面図である。
【図６】（ａ）はロック部材の斜面部をカード型記録媒体に当接させた状態を示す要部断面図、（ｂ）は斜面部によりカード型記録媒体をカードコネクタの保持解除状態まで押し込んだ状態を示す要部断面図である。（ｃ）は、（ｂ）の状態において、ロック部材から指を離した状態を示す要部断面図である。
【図７】（ａ）はロック部材の斜面部を図６（ａ）の位置までスライド移動させた状態での要部断面図、（ｂ）は（ａ）のＡ−Ａ線断面図である。
【発明を実施するための形態】
【００１０】
以下、本発明の実施形態の一例を説明する。
【００１１】
図１（ａ）は本発明の電子機器の実施形態の一例であるデジタルカメラの斜視図、図１（ｂ）は図１（ｂ）に示すデジタルカメラの電池収納ユニットを覆う蓋部材を開いた状態を底面側から見た斜視図である。
【００１２】
図１（ａ）及び図１（ｂ）に示すように、本実施形態のデジタルカメラ１の底面には、電池収納ユニット３を開閉可能に覆う蓋部材２が開閉方向に回動可能に支持されている。蓋部材２は、閉じ状態でデジタルカメラ１の底面外装の一部を形成する。電池収納ユニット３は、電池４が挿抜可能に収納される電池収納部３ａと、カード型記録媒体６が挿抜可能に収納される記録媒体収納部３ｂとを有する。ここで、電池４は、本発明の電子部材の一例に相当し、電池収納部３ａは、本発明の電子部材収納部の一例に相当する。
【００１３】
電池収納部３ａに収納された電池４は、ロック部材５により係止され、記録媒体収納部３ｂに収納されたカード型記録媒体６は、後述するプッシュプッシュ方式のカードコネクタ７（図２及び図３参照）に保持される。電池収納部３ａと記録媒体収納部３ｂとは、互いに平行に隣接配置されている。このため、電池収納部３ａと記録媒体収納部３ｂとを共通の蓋部材２で覆うことができ、個別に蓋部材を設ける場合に比べて省スペース化が図れてデジタルカメラ１の小型化が可能となる。
【００１４】
図２は、プッシュプッシュ方式のカードコネクタ７におけるカード型記録媒体６の挿抜動作を説明する概略図である。図２（ａ）に示すように、カード型記録媒体６を記録媒体収納部３ｂ内のカードコネクタ７へ挿入して、図２（ｂ）に示す位置まで押し込み、指を離すことで、図２（ｃ）に示す位置でカードコネクタ７にカード型記録媒体６が保持される。
【００１５】
カード型記録媒体６をカードコネクタ７から取り出すには、カード型記録媒体６を図２（ｃ）に示す位置から図２（ｂ）に示す位置まで指で押し込む。この状態でカード型記録媒体６から指を離すことで、カードコネクタ７によるカード型記録媒体６の保持が解除され、カードコネクタ７の不図示の付勢部材の付勢力によりカード型記録媒体６は挿入方向と反対方向に図２（ａ）に示す位置まで移動する。これにより、カード型記録媒体６を指で引き出してカードコネクタ７から取り出すことが可能となる。
【００１６】
図３は、電池収納ユニット３の分解構成図である。図３に示すように、メイン基板８には、カードコネクタ７の他、デジタルカメラ１の電源部や信号処理部及び電池コネクタ９が実装されている。電池コネクタ９の電池接点部９ａは、電池収納部３ａに収納された電池４の端子に加圧接触し、これにより、電池４との導通が確保される。電池収納部３ａの底部には、電池収納部３ａに収納された電池４を挿入方向と反対方向に付勢する付勢バネ１０が設けられている。
【００１７】
また、回動軸１１は、電池収納部３ａの側壁上部に形成された孔部３ｃ、ロック部材５に形成された孔部５ａ、及びねじりコイルバネで構成された付勢部材１２の巻き部１２ａを挿通することで、ロック部材５を回動可能に支持する。付勢部材１２の一方の腕部１２ｂは、ロック部材５に掛止され、他方の腕部１２ｃは、電池収納部３ｂに掛止され、これにより、ロック部材５は電池４を係止する方向へ付勢される。
【００１８】
図４（ａ）は、電池収納ユニット３をカードコネクタ７側から見た斜視図である。なお、図４（ａ）では、メイン基板８の図示は省略している。ロック部材５は、回動軸１１に対して回動可能かつ軸方向にスライド移動可能に支持され、付勢部材１２の巻き部１２ａは、圧縮コイルバネとして機能する。これにより、ロック部材５は、記録媒体収納部３ｂのカードコネクタ７に保持されたカード型記録媒体６から離間する図４（ａ）に図示する矢印方向（右方向）へ付勢される。
【００１９】
図４（ｂ）は、電池収納ユニット３を電池収納部３ａ側から見たロック部材５とカード型記録媒体６との関係を示す斜視図である。なお、図４（ｂ）では、電池収納部３ａの一部を破断して図示している。図４（ｂ）に示すように、ロック部材５には、回動軸１１の軸方向に沿って溝部５ｂが形成され、電池収納部３ａには、溝部５ｂを回動軸１１の軸方向に沿って案内するガイド突起３ｄが形成されている。なお、溝部５ｂ及びガイド突起３ｄの詳細については、図７にて説明する。
【００２０】
ロック部材５の図４（ｂ）に図示する矢印方向への回動規制は、ロック部材５が電池収納部３ａの壁部３ｅに当接することで行われる。ロック部材５には、斜面部５ｃが形成されている。ロック部材５をスライドさせることで斜面部５ｃは、カードコネクタ７に保持されたカード型記録媒体６に当接してカード型記録媒体６を挿入方向に押し込むように形成されている。なお、斜面部５ｃの詳細については、図６にて説明する。
【００２１】
図５（ａ）は電池収納部３ａに収納された電池４がロック部材５で係止されている状態を示す要部断面図、図５（ｂ）はロック部材５による電池４の係止が解除された状態を示す要部断面図である。
【００２２】
図５（ａ）に示す状態では、ロック部材５は、付勢部材１２の腕部１２ｂから付勢力により、図の反時計回り方向へ回動し、先端部５ｄが電池４の挿入方向と反対側に端部を係止する。そして、ユーザの操作によりロック部材５を図５（ａ）の時計回り方向に回動させると、先端部５ｄによる電池４の係止が解除され、付勢バネ１０の付勢力により、電池４が挿入方向と反対方向に移動して電池収納部３ａから突出する。これにより、電池収納部３ａから電池４を取り出すことが可能となる。
【００２３】
図６（ａ）は、ロック部材５をユーザ操作により回動軸１１の軸方向に沿ってカード型記録媒体６に接近する方向（図中矢印＋Ｘ方向）に付勢部材１２の付勢力に抗してスライド移動させた状態を示す要部断面図である。このとき、ロック部材５の斜面部５ｃはカード型記録媒体６に当接する。
【００２４】
図６（ｂ）は、図６（ａ）の状態からさらにロック部材５を図中矢印＋Ｘ方向へスライド移動させて、斜面部５ｃによりカード型記録媒体６をカードコネクタ７の保持解除状態まで押し込んだ状態を示す要部断面図である。ここでの押し込みは、ロック部材５の斜面部５ｃとカード型記録媒体６の上端側短辺部との間のくさび作用によりカード型記録媒体６を挿入方向に押し込む。
【００２５】
図６（ｃ）は、図６（ｂ）の状態において、ユーザがロック部材５から指を離した状態を示す要部断面図である。図６（ｃ）の状態では、カードコネクタ７のカード型記録媒体６を挿入方向と反対方向に付勢する不図示の付勢部材の付勢力と付勢部材１２の付勢力により、ロック部材５は、カード型記録媒体６から離間する図中矢印−Ｘ方向へスライド移動する。これにより、カードコネクタ７による保持が解除されたカード型記録媒体６が挿入方向と反対方向に移動して記録媒体収納部３ｂから突出し、カードコネクタ７からカード型記録媒体６を取り出すことが可能となる。
【００２６】
図７（ａ）はロック部材５の斜面部５ｃを図６（ａ）の位置までスライド移動させた状態での要部断面図、図７（ｂ）は図７（ａ）のＡ−Ａ線断面図である。図７（ａ）及び図７（ｂ）に示すように、斜面部５ｃがカード型記録媒体６の上端側短辺部に当接するまでロック部材５をスライド移動させた状態では、ロック部材５の溝部５ｂが電池収納部３ａのガイド突起３ｄに係合する。
【００２７】
この状態では、ロック部材５は、回動軸１１を中心とした回動が規制される。これにより、電池収納部３ａに電池４が収納されているか否かに関わらず、ロック部材５をスムースに回動軸１１の軸方向に沿ってスライド移動させてカード型記録媒体６の押し込み操作を行うことが可能となる。また、カード型記録媒体６の押し込み操作を行う際に、ロック部材５が回動軸１１を中心として回動してしまい、ロック部材５による電池４の係止を意図せず解除してしまうことも防止できる。
【００２８】
以上説明したように、本実施形態では、デジタルカメラ１の小型化を図ることができるとともに、プッシュプッシュ方式のカードコネクタ７からのカード型記録媒体６の取り出しを容易にすることができる。
【００２９】
なお、本発明の構成は、上記実施形態に例示したものに限定されるものではなく、材質、形状、寸法、形態、数、配置箇所等は、本発明の要旨を逸脱しない範囲において適宜変更可能である。
【００３０】
例えば、上記実施形態では、電子機器としてデジタルカメラを例示したが、これに限定されず、デジタルビデオカメラや携帯電話機、電子辞書等の電子機器であってもよい。
【符号の説明】
【００３１】
１  デジタルカメラ
２  蓋部材
３  電池収納ユニット
３ａ  電池収納部
３ｂ  記録媒体収納部
４    電池
５    ロック部材
５ｃ  斜面部
６    カード型記録媒体
７    カードコネクタ
１２  付勢部材
【図１】
2015018480.tif 000003
【図２】
2015018480.tif 000004
【図３】
2015018480.tif 000005
【図４】
2015018480.tif 000006
【図５】
2015018480.tif 000007
【図６】
2015018480.tif 000008
【図７】
2015018480.tif 000009